(57)【要約】【課題】例えば、Ｉｎｔｅｒ  Ｓｙｓｔｅｍ  Ｃｈａｎｇｅ発生時のＴＥＩＤ数を抑制すると共にパケットロスを抑制する。【解決手段】通信回線のハンドオーバー制御に先立って、第一の通信処理部と第二の通信処理部との間をトンネリング・プロトコルを用いて予め固定的に接続し、第一または第二のいずれか一方の通信処理部が自己の通信方式による通信回線設定のために割当てたＴＥＩＤに基づき他方の通信方式による通信回線設定のためのＴＥＩＤを割当て、このＴＥＩＤを用いてハンドオーバー制御を実行する。さらに、ＴＥＩＤを割当てた一方の通信処理部が他方の通信方式による通信回線を流れるパケットを自己の通信方式による通信回線を流れるパケットと併せて監視し、通信方式の異なる二つの通信回線の少なくとも一方にパケットが存在する間は当該通信回線のハンドオーバー制御を待ち合わせる。【選択図】図６
2008131545.tif 000002
【特許請求の範囲】
【請求項１】
互いに異なる第一および第二の通信方式による通信装置を共に収容し、これらの異なる通信方式の通信装置相互間の通信回線を制御する通信制御装置において、
第一の通信方式に対応する第一の通信処理部と、
第二の通信方式に対応する第二の通信処理部と
を備え、
第一の通信方式による通信装置から第二の通信方式による通信装置への通信回線のハンドオーバー制御に先立って、前記第一の通信処理部と前記第二の通信処理部との間をトンネリング・プロトコルを用いて予め固定的に接続する手段と、
前記第一または第二のいずれか一方の通信処理部が自己の通信方式による通信回線設定のために割当てたＴＥＩＤ(Tunnel End Point Identifier)に基づき他方の通信方式による通信回線設定のためのＴＥＩＤを割当てる手段と、
このＴＥＩＤを用いてハンドオーバー制御を実行する手段と
を備えたことを特徴とする通信制御装置。
【請求項２】
ＴＥＩＤを割当てた一方の前記通信処理部が他方の通信方式による通信回線を流れるパケットを自己の通信方式による通信回線を流れるパケットと併せて監視する手段を備え、
前記ハンドオーバー制御を実行する手段は、前記監視する手段の監視結果に基づき通信方式の異なる二つの通信回線の少なくとも一方にパケットが存在する間は当該通信回線のハンドオーバー制御を待ち合わせる手段を備えた
請求項１記載の通信制御装置。
【請求項３】
互いに異なる第一および第二の通信方式による通信装置を共に収容し、これらの異なる通信方式の通信装置相互間の通信回線を制御する通信制御装置が実行する通信制御方法において、
第一の通信方式による通信装置から第二の通信方式による通信装置への通信回線のハンドオーバー制御に先立って、第一の通信方式に対応する第一の通信処理部と第二の通信方式に対応する第二の通信処理部との間をトンネリング・プロトコルを用いて予め固定的に接続するステップと、
前記第一または第二のいずれか一方の通信処理部が自己の通信方式による通信回線設定のために割当てたＴＥＩＤに基づき他方の通信方式による通信回線設定のためのＴＥＩＤを割当てるステップと、
このＴＥＩＤを用いてハンドオーバー制御を実行するステップと
を実行することを特徴とする通信制御方法。
【請求項４】
ＴＥＩＤを割当てた一方の前記通信処理部が他方の通信方式による通信回線を流れるパケットを自己の通信方式による通信回線を流れるパケットと併せて監視し、
前記ハンドオーバー制御を実行するステップは、前記監視結果に基づき通信方式の異なる二つの通信回線の少なくとも一方にパケットが存在する間は当該通信回線のハンドオーバー制御を待ち合わせるステップを実行する
請求項３記載の通信制御方法。
【請求項５】
汎用の情報処理装置にインストールすることにより、その汎用の情報処理装置に、請求項１または２記載の通信制御装置の機能に相応する機能を実現させるプログラム。
【発明の詳細な説明】
【技術分野】
【０００１】
本発明は、通信システムにおける接続制御に利用する。特に、複数の異なる通信方式の通信装置を共に収容し、これらの通信装置間の通信回線をハンドオーバー制御して切替える技術に関する。
【背景技術】
【０００２】
従来の２Ｇ（第２世代）／３Ｇ（第３世代）コンバインＳＧＳＮ(Serving GPRS(General Packet Radio Service) Support Node)装置のＩｎｔｅｒ  Ｓｙｓｔｅｍ  Ｃｈａｎｇｅ動作を図１を参照して説明する。図１において、２Ｇ−ＳＧＳＮパケット処理装置３は、旧来の２Ｇパケット処理装置であり、２Ｇモバイル端末（図示省略）あるいはＢＳＳ(Base Station Sub system)６から転送されるパケットのプロトコル処理を実施しＧＧＳＮ(Gateway GPRS Support Node)７へ転送する。また、ＧＧＳＮ７からのパケットを３Ｇ−ＳＧＳＮＵ(User)プレーンパケット処理装置１経由で受信し、プロトコル処理を実施し、２Ｇモバイル端末あるいはＢＳＳ６へ転送する。
【０００３】
３Ｇ−ＳＧＳＮＵプレーンパケット処理装置１は、３Ｇモバイル端末（図示省略）あるいはＲＮＣ(Radio Network Controller)５から転送されるパケットのプロトコル処理を実施し、ＧＧＳＮ７へ転送する。また、ＧＧＳＮ７からのパケットのプロトコル処理を実施し、３Ｇモバイル端末あるいはＲＮＣ５へ転送する。
【０００４】
さらに、３Ｇ−ＳＧＳＮＵプレーンパケット処理装置１は、２Ｇ／３Ｇのユーザプレーンコンバイン機能を具備し、Ｉｕ（ＳＧＳＮとＲＮＣとのインタフェース）からのパケット、Ｇｂ（ＳＧＳＮとＧＧＳＮとのインタフェースであり、ＧＳＭ（移動通信用のグローバルシステム）のパケット交換部分を形成するインタフェース）からのパケットを識別し、上り下りのパケット転送を行う。
【０００５】
ＩｎｔｒａＳＧＳＮにおいて３Ｇから２Ｇへのハンドオーバー制御を行う場合には、３Ｇセッション（実線矢印）時の下り側パケットはＧＧＳＮ７→３Ｇ−ＳＧＳＮＵプレーンパケット処理装置１→ＲＮＣ５方向に送出されているが、ハンドオーバー制御中状態になると、先の下りパケットはＲＮＣ５でバッファリングされＲＮＣ５のバッファリング解除後に３Ｇ−ＳＧＳＮＵプレーンパケット処理装置１に送出される。
【０００６】
３Ｇ−ＳＧＳＮＵプレーンパケット処理装置１はＲＮＣ５から受信したパケットを２Ｇ−ＳＧＳＮパケット処理装置３へ転送する。これがＩｎｔｅｒ  Ｓｙｓｔｅｍ  Ｃｈａｎｇｅセッション（破線矢印）状態である。ハンドオーバー制御が完了すると、２Ｇ−ＳＧＳＮパケット処理装置３−３Ｇ−ＳＧＳＮＵプレーンパケット処理装置１−ＧＧＳＮ７のパケット２Ｇセッション（一点鎖線矢印）が張られる。
【０００７】
【特許文献１】特開２００５−２５２５０２号公報
【特許文献２】特開２００６−２４５９１３号公報
【特許文献３】特表２００３−５３３９２６号公報
【特許文献４】特表２００５−５２３６１３号公報
【特許文献５】特表２００５−５２９５４０号公報
【特許文献６】特表２００５−５２９５６０号公報
【発明の開示】
【発明が解決しようとする課題】
【０００８】
従来の２Ｇ／３ＧコンバインＳＧＳＮのＩｎｔｅｒ  Ｓｙｓｔｅｍ  Ｃｈａｎｇｅにおいては、次のような課題がある。
【０００９】
第一の課題は、Ｉｎｔｅｒ  Ｓｙｓｔｅｍ  Ｃｈａｎｇｅセッション発生時は必ず２Ｇセッションおよび３Ｇセッションの２セッションが独立して必要となるため、ハンドオーバー制御が伴うと余分にＴＥＩＤ(Tunnel End Point Identifier)を払い出す必要があり、１装置において全ＴＥＩＤ値を加入者に割当てることができないということである。
【００１０】
第二の課題は、Ｉｎｔｅｒ  Ｓｙｓｔｅｍ  Ｃｈａｎｇｅセッション状態中は、２Ｇセッションと３Ｇセッションとがそれぞれ独立しているため双方のセッションが互いに実際のパケット導通状況を監視できず、Ｉｎｔｅｒ  Ｓｙｓｔｅｍ  Ｃｈａｎｇｅ発生時のパケットロスを抑制できないということである。
【００１１】
すなわち、従来、Ｉｎｔｒａ／ＩｎｔｅｒＳＧＳＮで、３Ｇから２Ｇへハンドオーバー制御する場合には、Ｉｎｔｅｒ  Ｓｙｓｔｅｍ  Ｃｈａｎｇｅ発生時にＳＧＳＮＵプレーンパケット処理装置１およびＳＧＳＮＣ(Control)プレーンパケット処理装置４の双方からそれぞれが自律的にＴＥＩＤを払い出さなければならなかったため、ＳＧＳＮ装置におけるＴＥＩＤ収容効率が落ち、結果として、ＳＧＳＮあたりの収容加入者数を増やすことができなかった。
【００１２】
また、Ｉｎｔｅｒ  Ｓｙｓｔｅｍ  Ｃｈａｎｇｅセッション状態中に３Ｇセッションから２Ｇセッションに移行する際、２Ｇセッション管理はＳＧＳＮＣプレーンパケット処理装置４のみで実施し、３Ｇセッション管理はＳＧＳＮＵプレーンパケット処理装置１のみで実施していたため、Ｉｎｔｅｒ  Ｓｙｓｔｅｍ  Ｃｈａｎｇｅセッション状態中のパケット吐き出しの完了が判断できず、パケット吐き出し中にも関わらずハンドオーバー制御が実施されてしまう場合があり、パケットロスを抑制できなかった。
【００１３】
本発明は、このような背景の下に行われたものであって、例えば、Ｉｎｔｅｒ  Ｓｙｓｔｅｍ  Ｃｈａｎｇｅ発生時に必要となるＴＥＩＤ数を抑制し、また、Ｉｎｔｅｒ  Ｓｙｓｔｅｍ  Ｃｈａｎｇｅ発生時のパケットロスを抑制した通信制御装置および通信制御方法を提供することを目的とする。
【課題を解決するための手段】
【００１４】
本発明は、互いに異なる第一および第二の通信方式による通信装置を共に収容し、これらの異なる通信方式の通信装置相互間の通信回線を制御する通信制御装置であって、本発明の特徴とするところは、第一の通信方式に対応する第一の通信処理部と、第二の通信方式に対応する第二の通信処理部とを備え、第一の通信方式による通信装置から第二の通信方式による通信装置への通信回線のハンドオーバー制御に先立って、前記第一の通信処理部と前記第二の通信処理部との間をトンネリング・プロトコルを用いて予め固定的に接続する手段と、前記第一または第二のいずれか一方の通信処理部が自己の通信方式による通信回線設定のために割当てたＴＥＩＤに基づき他方の通信方式による通信回線設定のためのＴＥＩＤを割当てる手段と、このＴＥＩＤを用いてハンドオーバー制御を実行する手段とを備えたところにある。
【００１５】
本明細書では、当業者間において説明を分り易くするために、本発明の通信制御装置として図１に示した２Ｇ／３ＧコンバインＳＧＳＮ装置を例に用いて説明を行い、例えば、前記第一の通信方式による通信装置は、２Ｇモバイル端末あるいはＢＳＳであり、前記第二の通信方式による通信装置は、３Ｇモバイル端末あるいはＲＮＣであるが、本発明の適用範囲をこれらの装置に限定するものではない。
【００１６】
本発明では、例えば、セッション情報である３Ｇおよび２ＧセッションのＴＥＩＤは、ＳＧＳＮＣプレーンパケット処理装置で制御させるが、３Ｇ→２Ｇ等のハンドオーバー制御時のＩｎｔｅｒ  Ｓｙｓｔｅｍ  Ｃｈａｎｇｅ発生時のセッション情報は、３Ｇ−ＳＧＳＮＵプレーンパケット処理装置内部で自律的に制御し、Ｉｎｔｅｒ  Ｓｙｓｔｅｍ  Ｃｈａｎｇｅ発生時のＳＧＳＮＣプレーンパケット処理装置からのＴＥＩＤ払い出し数を抑制することで抑制したＴＥＩＤを収容加入者に割当て、ＳＧＳＮ装置あたりの収容加入者数を増やすことができる。
【００１７】
このように、例えば、モバイルコアネットワークの構成装置である３Ｇ−ＳＧＳＮに２Ｇ／３Ｇコンバイン機能を具備させ２Ｇ−ＳＧＳＮを接続した２Ｇ／３Ｇコンバイン型ＳＧＳＮのユーザプレーン処理装置においてＩｎｔｅｒ  Ｓｙｓｔｅｍ  Ｃｈａｎｇｅ発生時に必要となるＴＥＩＤ数を削減することで装置あたりの収容加入者数を増やしたことを特徴としている。
【００１８】
さらに、ＴＥＩＤを割当てた一方の前記通信処理部が他方の通信方式による通信回線を流れるパケットを自己の通信方式による通信回線を流れるパケットと併せて監視する手段を備え、前記ハンドオーバー制御を実行する手段は、前記監視する手段の監視結果に基づき通信方式の異なる二つの通信回線の少なくとも一方にパケットが存在する間は当該通信回線のハンドオーバー制御を待ち合わせる手段を備えることができる。
【００１９】
本発明は、例えば、Ｉｎｔｅｒ  Ｓｙｓｔｅｍ  Ｃｈａｎｇｅセッション状態中のユーザパケット導通状態を監視することでＳＧＳＮＣプレーンパケット処理装置から３Ｇ−ＳＧＳＮＵプレーン処理装置に対する２Ｇセッション設定指示後も即セッション切替えせず、Ｉｎｔｅｒ  Ｓｙｓｔｅｍ  Ｃｈａｎｇｅセッション状態中のパケット吐き出し完了後に２Ｇセッション移行制御を実施することでハンドオーバー制御時のパケットロスを抑制できる。
【００２０】
このように、例えば、Ｉｎｔｅｒ  Ｓｙｓｔｅｍ  Ｃｈａｎｇｅセッション状態中のパケット導通状況の監視を行うことで、２Ｇから３Ｇ、３Ｇから２Ｇへのハンドオーバー制御時のパケットロスを抑制したことを特徴としている。
【００２１】
また、本発明を通信制御方法としての観点から観ることもできる。すなわち、本発明は、互いに異なる第一および第二の通信方式による通信装置を共に収容し、これらの異なる通信方式の通信装置相互間の通信回線を制御する通信制御装置が実行する通信制御方法であって、本発明の特徴とするところは、第一の通信方式による通信装置から第二の通信方式による通信装置への通信回線のハンドオーバー制御に先立って、第一の通信方式に対応する第一の通信処理部と第二の通信方式に対応する第二の通信処理部との間をトンネリング・プロトコルを用いて予め固定的に接続するステップと、前記第一または第二のいずれか一方の通信処理部が自己の通信方式による通信回線設定のために割当てたＴＥＩＤに基づき他方の通信方式による通信回線設定のためのＴＥＩＤを割当てるステップと、このＴＥＩＤを用いてハンドオーバー制御を実行するステップとを実行するところにある。
【００２２】
さらに、ＴＥＩＤを割当てた一方の前記通信処理部が他方の通信方式による通信回線を流れるパケットを自己の通信方式による通信回線を流れるパケットと併せて監視し、前記ハンドオーバー制御を実行するステップは、前記監視結果に基づき通信方式の異なる二つの通信回線の少なくとも一方にパケットが存在する間は当該通信回線のハンドオーバー制御を待ち合わせるステップを実行することもできる。
【００２３】
また、本発明をプログラムとしての観点から観ることもできる。すなわち、本発明は、汎用の情報処理装置にインストールすることにより、その汎用の情報処理装置に、本発明の通信制御装置の機能に相応する機能を実現させるプログラムである。
【００２４】
本発明のプログラムは記録媒体に記録されることにより、前記汎用の情報処理装置は、この記録媒体を用いて本発明のプログラムをインストールすることができる。あるいは、本発明のプログラムを保持するサーバからネットワークを介して直接前記汎用の情報処理装置に本発明のプログラムをインストールすることもできる。
【００２５】
これにより、汎用の情報処理装置を用いて、本発明の通信制御装置を実現することができる。
【００２６】
なお、本発明のプログラムは、汎用の情報処理装置によって直接実行可能なものだけでなく、ハードディスクなどにインストールすることによって実行可能となるものも含む。また、圧縮されたり、暗号化されたりしたものも含む。
【発明の効果】
【００２７】
本発明の第一の効果は、例えば、２Ｇ−ＳＧＳＮパケット処理装置のＧＧＳＮ側インタフェースをＧＴＰ(GPRS Tunneling Protocol)バージョン１に固定し、３Ｇ−ＳＧＳＮＵプレーンパケット処理装置に接続しているので、旧来装置である２Ｇ−ＳＧＳＮパケット処理装置資産の活用ができ、さらに、３Ｇ−ＳＧＳＮＵプレーンパケット処理装置側も２Ｇ−ＳＧＳＮパケット処理装置との接続をＩｕと等価なインタフェースでできるため３Ｇ−ＳＧＳＮＵプレーンパケット処理装置資産の活用ができることにある。
【００２８】
本発明の第二の効果は、例えば、Ｉｎｔｅｒ  Ｓｙｓｔｅｍ  Ｃｈａｎｇｅ発生時のＴＥＩＤセッションを３Ｇ−ＳＧＳＮＵプレーンパケット処理装置内部でＴＥＩＤ値のビット拡張することでローカルに払い出ししているので、２Ｇ／３ＧコンバインＳＧＳＮ装置としてＩｎｔｅｒ  Ｓｙｓｔｅｍ  Ｃｈａｎｇｅセッション発生時に使用するＴＥＩＤ数を抑制でき、その抑制できたＴＥＩＤを別加入者に割り当てることで、結果として２Ｇ／３ＧコンバインＳＧＳＮ装置としての加入者数を増やすことができることにある。
【００２９】
本発明の第三の効果は、例えば、ＳＧＳＮＣプレーンパケット処理装置からのハンドオーバー制御完了指示後も３Ｇ−ＳＧＳＮＵプレーンパケット処理装置内でＩｎｔｅｒ  Ｓｙｓｔｅｍ  Ｃｈａｎｇｅセッション状態中の各セッションでのパケット導通状態を監視し、パケット導通が無くなることを確認した後にセッション状態を切り替えているので、Ｉｎｔｅｒ  Ｓｙｓｔｅｍ  Ｃｈａｎｇｅ発生時のパケットロスを抑制できることにある。
【発明を実施するための最良の形態】
【００３０】
本発明の実施例を図１〜図５を参照して説明する。本実施例では、図１に示す２Ｇ／３ＧコンバインＳＧＳＮ装置８において、従来は、セッション情報は、ＳＧＳＮＣプレーンパケット処理装置４より払い出されるが、本実施例では、ハンドオーバー制御中のセッション情報は、３Ｇ−ＳＧＳＮＵプレーンパケット処理装置１内で制御する。
【００３１】
また、ソフトウェアからの２Ｇセッション設定指示後も、直ぐにセッション情報を変更せず、３Ｇ−ＳＧＳＮＵプレーンパケット処理装置１内でＩｎｔｅｒ  Ｓｙｓｔｅｍ  Ｃｈａｎｇｅセッション状態中のパケット導通状態を監視し、パケット吐き出し処理完了後に３Ｇ−ＳＧＳＮＵプレーンパケット処理装置１内部のセッション情報を変更制御する。
【００３２】
このようにして、本実施例では、ハンドオーバー制御中であるＩｎｔｅｒ  Ｓｙｓｔｅｍ  Ｃｈａｎｇｅ発生時のセッション情報をＳＧＳＮＣプレーンパケット処理装置４から払い出さず、３Ｇ−ＳＧＳＮＵプレーンパケット処理装置１内で制御しているため、ハンドオーバー制御時のセッション制御に必要なＳＧＳＮＣプレーンパケット処理装置４によるＴＥＩＤ払い出し数を抑制することができ、ＳＧＳＮ１台あたりの加入者数を増やすことができる。
【００３３】
また、Ｉｎｔｅｒ  Ｓｙｓｔｅｍ  Ｃｈａｎｇｅセッション状態中のパケット吐き出し完了後に３Ｇ−ＳＧＳＮＵプレーンパケット処理装置１内でセッション状態を切り替えることによりＩｎｔｅｒ  Ｓｙｓｔｅｍ  Ｃｈａｎｇｅ発生時のパケットロスを抑制することができる。
【００３４】
すなわち、図１において、３Ｇ−ＳＧＳＮＵプレーンパケット処理装置１は、ＧｎおよびＩｕインタフェースを具備し、ＧＧＳＮ７、ＲＮＣ５と接続される。また、Ｌ２／Ｌ３スイッチ２を介して２Ｇ−ＳＧＳＮパケット処理装置３、ＳＧＳＮＣプレーンパケット処理装置４と接続される。
【００３５】
３Ｇ−ＳＧＳＮＵプレーンパケット処理装置１は、Ｇｎインタフェースと、３ＧインタフェースであるＩｕインタフェースとの間のＧＴＰパケットプロトコル処理を実施し、ＲＮＣ−ＧＧＳＮ間のパケット転送を行う。
【００３６】
また、２Ｇ−ＳＧＳＮパケット処理装置３とのインタフェースであるＧｂ’−Ｕと３Ｇ−ＳＧＳＮＵプレーンパケット処理装置１とはＬ２／Ｌ３スイッチ２を介して接続され、２Ｇ−ＳＧＳＮパケット処理装置３とＧＧＳＮ７との間のＧＴＰパケットプロトコル処理を実施してパケット転送を行う。
【００３７】
２Ｇ側ＳＧＳＮのパケットプロトコル処理は、２Ｇ−ＳＧＳＮパケット処理装置３側で実施し、２Ｇ−ＳＧＳＮパケット処理装置３のＧＧＳＮ側インタフェースであるＧｂ’−ＵをＧＴＰバージョン１に固定することでＧｂ’−ＵインタフェースをＩｕ−Ｕインタフェースと等価なインタフェースに見せ、３Ｇ−ＳＧＳＮＵプレーンパケット処理装置１に接続している。
【００３８】
ＳＧＳＮＣプレーンパケット処理装置４は、ＳＬ２／Ｌ３スイッチ２を介して３Ｇ−ＳＧＳＮＵプレーンパケット処理装置１および２Ｇ−ＳＧＳＮパケット処理装置３と接続され、３Ｇ−ＳＧＳＮＵプレーンパケット処理装置１および２Ｇ−ＳＧＳＮパケット処理装置３のパケット導通用のセッション情報の管理および設定制御を行う。
【００３９】
２Ｇ−ＳＧＳＮパケット処理装置３は、Ｇｂインタフェースを具備し、ＢＳＳ６と接続し２Ｇ端末との間でパケットプロトコル処理を行う。また、Ｇｂ’−Ｕインタフェースを具備し、３Ｇ−ＳＧＳＮＵプレーンパケット処理装置１経由でＧＧＳＮ７に接続される。
【００４０】
２Ｇ側のプロトコルは２Ｇ−ＳＧＳＮパケット処理装置３で全て処理し、３Ｇ−ＳＧＳＮユーザパケット処理装置１とはＧＴＰバージョン１で接続される。ＲＮＣ５は３Ｇ端末を収容し、ＢＳＳ６は２Ｇ端末を収容する。ＧＧＳＮ７はインターネット等の他ネットワークとの接続を制御する。
【００４１】
次に、図１の２Ｇ／３ＧコンバインＳＧＳＮ装置８内における３Ｇから２Ｇにハンドオーバー制御する際のＩｎｔｅｒ  Ｓｙｓｔｅｍ  Ｃｈａｎｇｅ動作について図２〜図４を参照して説明する。
【００４２】
図２のセッション♯１は、ＲＮＣ５とＧＧＳＮ７との間でパケット転送を行うために必要な３Ｇセッションを示している。３Ｇ−ＳＧＳＮユーザプレーン処理装置１は、上り側セッション（ＲＮＣ→ＧＧＳＮ方向）検索用ＴＥＩＤとしてＡが設定されており、ＲＮＣ側からＴＥＩＤ値がＡのパケットを受信するとセッション情報を検索し、送信先ＴＥＩＤとしてＤをヒットしＧＧＳＮ７へパケットを転送する。
【００４３】
また、下り側セッション（ＧＧＳＮ→ＲＮＣ方向）としてＴＥＩＤ値Ｃが設定されており、ＧＧＳＮ７側からＴＥＩＤ値がＣのパケットを受信するセッション情報を検索し、送信先ＴＥＩＤ値としてＢをヒットしＲＮＣ５へパケットを転送する。上下セッションはセットで制御され、このようなセッション情報によりパケットプロトコル処理および転送が制御される。
【００４４】
図３は、３Ｇから２Ｇ方向のハンドオーバー制御が発生し、Ｉｎｔｅｒ  Ｓｙｓｔｅｍ  Ｃｈａｎｇｅセッション状態となったときのセッション制御を示している。Ｉｎｔｅｒ  Ｓｙｓｔｅｍ  Ｃｈａｎｇｅセッション状態中は、ＧＧＳＮ７からのユーザプレーンパケットは３Ｇ−ＳＧＳＮＵプレーンパケット処理装置１を経由してＲＮＣ５に転送される。ＲＮＣ５に転送されたパケットはＲＮＣ５で折り返され３Ｇ−ＳＧＳＮＵプレーンパケット処理装置１経由で２Ｇ−ＳＧＳＮパケット処理装置３へ送信される。
【００４５】
このとき、３Ｇ−ＳＧＳＮＵプレーンパケット処理装置１にはＲＮＣ５とＧＧＳＮ７との間のセッション♯２およびＲＮＣ５と２Ｇ−ＳＧＳＮパケット処理装置３との間のセッション♯３の２セッションが必要となる。このとき、ＳＧＳＮＣプレーンパケット処理装置４からセッション情報であるＴＥＩＤの払い出し制御は行わず、３Ｇ−ＳＧＳＮＵプレーンパケット処理装置１内部でセッション制御を行う。
【００４６】
図５に示すセッションテーブル制御回路１２にて自律的にローカルＴＥＩＤを払い出す。ＳＧＳＮＣプレーンパケット処理装置４で管理しているＴＥＩＤ値との重複を回避するために、元来のＴＥＩＤビット幅を内部的に拡張し、拡張ビットの制御により内部ＴＥＩＤの制御を行う。
【００４７】
セッション♯２に関しては、ＴＥＩＤ値からＡ’をローカルＴＥＩＤ値としてセッションテーブル制御回路１２が生成する。セッション♯３に関しては、ＴＥＩＤ値ＣからＣ’をローカルＴＥＩＤ値としてセッションテーブル制御回路１２が生成する。
【００４８】
ローカルＴＥＩＤ値により、ＳＧＳＮＣプレーンパケット処理装置４から払い出すＴＥＩＤ数を増やさずにＩｎｔｅｒ  Ｓｙｓｔｅｍ  Ｃｈａｎｇｅ発生時のセッション制御が実施でき、パケット導通が可能となる。
【００４９】
図４のセッション♯４は、２Ｇへのハンドオーバー制御完了時のセッション情報を示している。ＴＥＩＤ値は２Ｇ−ＳＧＳＮパケット処理装置３宛先ＴＥＩＤ以外は全て３Ｇセッション時のＴＥＩＤと同じとなり、ＳＧＳＮＣプレーンパケット処理装置４からのＴＥＩＤ値払い出しは最小限に抑制される。
【００５０】
また、図５におけるパケット監視回路１１は、セッション♯２、セッション♯３における導通パケットの監視を行っており、パケット導通状態と判定された場合は、ＳＧＳＮＣプレーンパケット処理装置４から２Ｇセッション設定指示を受けてもセッション変更は実施せず、パケット導通無しであると判定した後にセッション♯４に切り替えることにより、ハンドオーバー制御時のパケットロスを抑制する。パケット導通状態の判定は、事前に設定した無通信時間に基づいて判定する。
【００５１】
以上説明したハンドオーバー制御の動作手順を図６のフローチャートに示す。図６に示すように、３Ｇ−ＳＧＳＮＵプレーンパケット処理装置１のセッションテーブル制御回路１２は、ＳＧＳＮＣプレーンパケット処理装置４からのハンドオーバー制御指示を監視し（Ｓ１）、指示が有れば（Ｓ２）、ＧＴＰを用いて自装置と２Ｇ−ＳＧＳＮパケット処理装置３とを接続する（Ｓ３）。その後に、図５に示すように、セッションテーブル１０を参照してハンドオーバー制御に用いるＴＥＩＤの割当てを行い（Ｓ４）、ハンドオーバー制御を開始する（Ｓ５）。このときに、パケット監視回路１１により、ハンドオーバー制御を実施する予定の双方の通信回線におけるパケット導通状況の監視を行い（Ｓ６）、双方の通信回線共にパケットが無ければ（Ｓ７）、ハンドオーバー制御を実施する（Ｓ８）。
【００５２】
また、本実施例は、汎用の情報処理装置にインストールすることにより、その汎用の情報処理装置に、本実施例の２Ｇ／３ＧコンバインＳＧＳＮ装置８の機能に相応する機能を実現させるプログラムとして実施することもできる。
【００５３】
本実施例のプログラムは記録媒体に記録されることにより、前記汎用の情報処理装置は、この記録媒体を用いて本実施例のプログラムをインストールすることができる。あるいは、本実施例のプログラムを保持するサーバからネットワークを介して直接前記汎用の情報処理装置に本実施例のプログラムをインストールすることもできる。
【００５４】
これにより、汎用の情報処理装置を用いて、本実施例の２Ｇ／３ＧコンバインＳＧＳＮ装置８を実現することができる。
【００５５】
なお、本実施例のプログラムは、汎用の情報処理装置によって直接実行可能なものだけでなく、ハードディスクなどにインストールすることによって実行可能となるものも含む。また、圧縮されたり、暗号化されたりしたものも含む。
【産業上の利用可能性】
【００５６】
本発明によれば、例えば、２Ｇ／３ＧコンバインＳＧＳＮ装置に適用した場合に、３Ｇ−ＳＧＳＮＵプレーンパケット処理装置資産の活用ができる。また、Ｉｎｔｅｒ  Ｓｙｓｔｅｍ  Ｃｈａｎｇｅ発生時に使用するＴＥＩＤ数を抑制でき、その抑制できたＴＥＩＤを別加入者に割り当てることで、結果として２Ｇ／３ＧコンバインＳＧＳＮ装置としての加入者数を増やすことができる。また、Ｉｎｔｅｒ  Ｓｙｓｔｅｍ  Ｃｈａｎｇｅ発生時のパケットロスを抑制できる。
【図面の簡単な説明】
【００５７】
【図１】２Ｇ／３ＧコンバインＳＧＳＮ装置の全体構成図。
【図２】本実施例のハンドオーバー制御手順を説明するための図（３Ｇセッション接続）。
【図３】本実施例のハンドオーバー制御手順を説明するための図（Ｉｎｔｅｒ  Ｓｙｓｔｅｍ  Ｃｈａｎｇｅセッション接続）。
【図４】本実施例のハイドオーバー制御手順を説明するための図（２Ｇセッション接続）。
【図５】３Ｇ−ＳＧＳＮＵプレーンパケット処理装置のブロック構成およびセッションテーブル内容を示す図。
【図６】本実施例のハンドオーバー制御手順を示すフローチャート。
【符号の説明】
【００５８】
１  ３Ｇ−ＳＧＳＮＵプレーンパケット処理装置
２  Ｌ２／Ｌ３スイッチ
３  ２Ｇ−ＳＧＳＮパケット処理装置
４  ＳＧＳＮＣプレーンパケット処理装置
５  ＲＮＣ
６  ＢＳＳ
７  ＧＧＳＮ
８  ２Ｇ／３ＧコンバインＳＧＳＮ装置
１０  セッションテーブル
１１  パケット監視回路
１２  セッションテーブル制御回路
【図１】
2008131545.tif 000003
【図２】
2008131545.tif 000004
【図３】
2008131545.tif 000005
【図４】
2008131545.tif 000006
【図５】
2008131545.tif 000007
【図６】
2008131545.tif 000008